(57)【特許請求の範囲】
【請求項１】
コンタクトガラス上部に設置され、周方向へ回転移動することにより原稿を前記コンタクトガラス上を搬送させる原稿搬送手段と、前記コンタクトガラス上を移動する原稿の画像を読取位置にて読み取る原稿読取手段と、原稿非搬送時に前記原稿搬送手段をその周方向に１回転させて、前記原稿読取手段による読み取りを行い、該読取情報に基づき前記読取位置における塵埃の有無検知を行う塵埃検知手段とを備えた画像読取装置において、
倍率等倍の原稿読取時における前記原稿搬送手段の線速よりも、前記塵埃検知時における前記原稿搬送手段の線速を速くするか、あるいは遅く設定する設定手段を備え、前記原稿搬送手段の表面に凹部を設けたことを特徴とする画像読取装置。
【請求項２】
前記原稿搬送手段が、前記コンタクトガラスの搬送上流側と搬送下流側とにローラを配設し、該ローラ間に回転移動可能に無端ベルトを架設した構成であることを特徴とする請求項１記載の画像読取装置。
【請求項３】
前記原稿搬送手段が、前記コンタクトガラスに対向設置されたローラ体からなる構成であることを特徴とする請求項１記載の画像読取装置。
【請求項４】
前記塵埃検知時における前記原稿搬送手段の線速を、倍率等倍の原稿読取時における前記原稿搬送手段の線速よりも速く設定したことを特徴とする請求項１〜３のいずれか１項記載の画像読取装置。
【請求項５】
前記塵埃検知時における前記原稿搬送手段の線速を、倍率等倍の原稿読取時における前記原稿搬送手段の線速よりも遅く設定したことを特徴とする請求項１〜３のいずれか１項記載の画像読取装置。
【請求項６】
前記凹部を、前記原稿搬送手段における原稿搬送方向に対して直交する方向に延在させたことを特徴とする請求項１〜５のいずれか1項記載の画像読取装置。
【請求項７】
前記凹部を、前記原稿搬送手段の複数箇所に設けたことを特徴とする請求項１〜６のいずれか１項記載の画像読取装置。
【請求項８】
前記複数のローラの中心軸は互いに平行であることを特徴とする請求項２記載の画像読取装置。
【請求項９】
原稿読取開始時、原稿を前記コンタクトガラスの所定の読取位置に搬送する前に、前記原稿搬送手段をあらかじめ設定された時間作動させて、前記塵埃検知手段による塵埃検知を行わせる制御手段を備えたことを特徴とする請求項１記載の画像読取装置。
【請求項１０】
前記制御手段は、前記塵埃検知手段により塵埃無しと検知された場合に、原稿読取を開始させることを特徴とする請求項９記載の画像読取装置。
【請求項１１】
前記制御手段は、前記塵埃検知手段により塵埃有りと検知された場合に、前記原稿読取手段の前記読取位置を移動させて、前記塵埃検知手段による塵埃検知を繰り返して行わせることを特徴とする請求項９または１０記載の画像読取装置。
【請求項１２】
前記制御手段は、前記塵埃検知手段により塵埃有りと検知された場合に、前記塵埃検知手段による塵埃検知をあらかじめ設定された回数行った後に、再度、塵埃有りと検知された場合に、警告報知用の信号を出力することを特徴とする請求項１１記載の画像読取装置。
【請求項１３】
前記塵埃検知手段による塵埃検知作動中に、原稿載置部からの原稿給紙を開始させることを特徴とする請求項９記載の画像読取装置。
【請求項１４】
原稿搬送手段と原稿読取手段を具備する画像読取部と、該画像読取部にて読み取った画像情報に基づいて記録媒体に対して画像形成を行う画像形成部とを備えた画像形成装置において、
前記画像読取部として請求項１〜１３のいずれか１項記載の画像読取装置を搭載したことを特徴とする画像形成装置。
【発明の詳細な説明】
【技術分野】
【０００１】
本発明は、周方向へ回転移動することにより原稿をコンタクトガラス上を搬送させる原稿搬送手段と、コンタクトガラス上を移動する原稿の画像を読み取る原稿読取手段とを備えた画像読取装置および画像形成装置に関し、特にコンタクトガラス上のトナー，塵などの塵埃付着などの検知を行う装置に関するものである。
【背景技術】
【０００２】
図３０は従来の自動原稿搬送装置の概略構成図であり、１１は原稿または原稿束、１２は原稿１１が載置される原稿テーブル、１３はピックアップコロ、１４は給紙ベルト、１５はリバースコロ、１６はプルアウトローラ、１７はターンローラ、１８は読取入口ローラである。また、１９はコンタクトガラス（スリットガラス）、２０は原稿搬送読取モード（シートスルー）時における画像読取装置１の原稿読取位置、２１はコンタクトガラス１９上に配設された原稿搬送ベルト、２２は搬送ベルト駆動ローラ、２３は搬送ベルト従動ローラ、２４は搬送ベルト加圧ローラである。さらに、２５は読取出口ローラ、２６は排紙ローラ、２７は排紙トレイである。
【０００３】
図３０を参照して原稿搬送の動作を説明する。
【０００４】
原稿テーブル１２上の原稿１１は、ピックアップコロ１３により給紙され、給紙ベルト１４とリバースコロ１５で一枚ずつ分離されて搬送され、さらに、プルアウトローラ１６，ターンローラ１７および読取入口ローラ１８によって搬送され、コンタクトガラス１９に到達し、搬送ベルト駆動ローラ２２によって駆動される搬送ベルト２１に案内されながらコンタクトガラス１９上を通過する。
【０００５】
このとき、原稿読取位置２０によって原稿の画像が読み取られる。この後、原稿１１は、読取出口ローラ２５によって搬送され、排紙ローラ２６によって排紙トレイ２７へ排紙されスタックされる。
【０００６】
前記のように原稿１１は、コンタクトガラス１９上を移動し、滑りながら搬送されるため、原稿読取面に付着しているトナー，塵埃などがコンタクトガラス１９の原稿通過面である上面に付着しやすい。
【０００７】
このようなコンタクトガラス１９にトナー，塵埃などが付着した状態で原稿の読み取りが行われると、画像不良（黒すじ，白すじ）が発生し、読取品質の低下を招くことになる。この課題に対処するため種々の発明が提案され、実施されてきている（特許文献１〜４参照）。
【特許文献１】特許第３１５９４７０号公報
【特許文献２】特開２００３−４８６４２号公報
【特許文献３】特開２００２−１５８８３５号公報
【特許文献４】特開２００２−１３５５４２号公報
【発明の開示】
【発明が解決しようとする課題】
【０００８】
従来の技術では、周方向へ回転移動することにより原稿をコンタクトガラス上を搬送させる原稿搬送ベルトなどの原稿搬送手段と、コンタクトガラス上を移動する原稿の画像を読み取る画像読取手段とを備えた構成のものにおいて、この原稿搬送手段を一定時間回転駆動し、原稿読取手段によりコンタクトガラスを通して読み取りを行わせ、この読取情報に基づいてゴミ有無検知を行うものがある。
【０００９】
しかし、前記のようにゴミ有無検知のために、原稿搬送手段と原稿読取手段とを所定時間動作させることは、その分、原稿読取時間に原稿読取以外の動作が行われ、それに伴う処理時間が必要で、また駆動負荷が加わることになる。
【００１０】
前記検知処理中は、画像形成が中断されるため、その分、作業性が低下することになる。しかし、高速動作にて前記検知を行うと、それによる駆動負荷により、各部における耐久性が低下し、また騒音の発生など、作業環境にも悪影響を与えることになる。
【００１１】
本発明は、前記従来の課題を解決し、読取位置における塵埃有無検知のために、無駄な動作，負荷を少なく、しかも確実かつ正確な塵埃検知が行われる画像読取装置および画像形成装置を提供することを目的とする。
【課題を解決するための手段】
【００１３】
請求項１に記載の発明は、コンタクトガラス上部に設置され、周方向へ回転移動することにより原稿を前記コンタクトガラス上を搬送させる原稿搬送手段と、前記コンタクトガラス上を移動する原稿の画像を読取位置にて読み取る原稿読取手段と、原稿非搬送時に前記原稿搬送手段をその周方向に１回転させて、前記原稿読取手段による読み取りを行い、該読取情報に基づき前記読取位置における塵埃の有無検知を行う塵埃検知手段とを備えた画像読取装置において、倍率等倍の原稿読取時における前記原稿搬送手段の線速よりも、前記塵埃検知時における前記原稿搬送手段の線速を速くするか、あるいは遅く設定する設定手段を備え、前記原稿搬送手段の表面に凹部を設けたことを特徴とし、この構成によって、仕様あるいは作業状態によって、設定手段により線速を設定することにより、塵埃検知動作を最短時間で行うこと、あるいは騒音の発生や駆動部品への負荷の増大による早期劣化などを抑制することのいずれかの状態にすることが可能になる。しかも、原稿搬送手段の表面の凹部は、使用時にコンタクトガラスなどの構成部材や搬送中の原稿に触れないか、触れる程度が他の部位に比べて低いため、他の部位と比較すると経時使用による塵埃が発生しない。よって、塵埃有無検知において原稿搬送手段の塵埃とコンタクトガラス上の塵埃とを区別する際に、凹部を、その区別のための非塵埃部の基準とすることができ、塵埃検知の精度が良好に機能する。
【００１４】
請求項２に記載の発明は、請求項１記載の画像読取装置において、原稿搬送手段が、コンタクトガラスの搬送上流側と搬送下流側とにローラを配設し、該ローラ間に回転移動可能に無端ベルトを架設した構成であることを特徴とする。
【００１５】
請求項３に記載の発明は、請求項１記載の画像読取装置において、原稿搬送手段が、コンタクトガラスに対向設置されたローラ体からなる構成であることを特徴とする。
【００１６】
請求項４に記載の発明は、請求項１〜３のいずれか１項記載の画像読取装置において、塵埃検知時における原稿搬送手段の線速を、倍率等倍の原稿読取時における原稿搬送手段の線速よりも速く設定したことを特徴とし、この構成によって、塵埃検知動作を短時間で行うことが可能となり、読取動作の中断などがなくなり、作業性の低下を防止することができ、高作業性を維持可能となる。
【００１７】
請求項５に記載の発明は、請求項１〜３のいずれか１項記載の画像読取装置において、塵埃検知時における原稿搬送手段の線速を、倍率等倍の原稿読取時における原稿搬送手段の線速よりも遅く設定したことを特徴とし、この構成によって、塵埃検知動作を低速で行うため、騒音の発生や駆動部品への負荷の増大による早期劣化などを防止することが可能となる。
【００１９】
請求項６に記載の発明は、請求項１〜５のいずれか１項記載の画像読取装置において、凹部を、原稿搬送手段における原稿搬送方向に対して直交する方向に延在させたことを特徴とし、この構成によって、原稿搬送の主走査方向全範囲にわたって、原稿搬送手段の塵埃検知用の非塵埃部である凹部を基準とした塵埃検知が可能となる。
【００２０】
請求項７に記載の発明は、請求項１〜６のいずれか１項記載の画像読取装置において、凹部を、原稿搬送手段の複数箇所に設けたことを特徴とし、この構成によって、塵埃検知の基準となる凹部が複数存在し、その面積が増えるため、より正確な非塵埃部の読み取りが可能になり、誤検知を防止することができる。
【００２１】
請求項８に記載の発明は、請求項２記載の画像読取装置において、複数のローラの中心軸は互いに平行であることを特徴とし、この構成によって、無端ベルトの捩れを防止して凹部が湾曲したり捩じれたりすることを防止して、略直線形状を維持可能となる。よって、直線上の読取ラインを持つ原稿読取手段が、無端ベルトの主走査方向全面にわたって凹部を読み取ることが可能となり、非凹部を読み取ることによる誤検知を防止することが可能になる。
【００２２】
請求項９に記載の発明は、請求項１記載の画像読取装置において、原稿読取開始時、原稿をコンタクトガラスの所定の読取位置に搬送する前に、原稿搬送手段をあらかじめ設定された時間作動させて、塵埃検知手段による塵埃検知を行わせる制御手段を備えたことを特徴とし、この構成によって、原稿搬送手段によるコンタクトガラス上の塵埃検知動作を、原稿が読取位置に搬送されてくる一連の動作中に行うため、特別に塵埃検知動作のための時間を設定する必要はない。よって、画像読取の作業性を良好に維持可能であり、また、画像読取動作を行う前に塵埃有無検知を行うため、塵埃無しと検知した場合には、その状態で直ぐに原稿の読み取りを行うため、良好な画像品質を得ることが可能となる。
【００２３】
請求項１０に記載の発明は、請求項９記載の画像読取装置において、制御手段は、塵埃検知手段により塵埃無しと検知された場合に、原稿読取を開始させることを特徴とし、この構成によって、塵埃無しと検知された場合に、一連の動作中において自動的に読取動作に移行するため作業性が向上し、さらに、塵埃無しの状態で直ぐに原稿の読み取りを行うため、良好な画像品質を得ることが可能となる。
【００２４】
請求項１１に記載の発明は、請求項９または１０記載の画像読取装置において、制御手段は、塵埃検知手段により塵埃有りと検知された場合に、原稿読取手段の読取位置を移動させて、塵埃検知手段による塵埃検知を繰り返して行わせることを特徴とし、この構成によって、塵埃有りと検知された場合に、原稿読取手段を移動させて読取位置を塵埃の無い位置へ移動させて、その位置で原稿読取を行うことが可能となる。よって、塵埃有りと検知しても読取動作の中断や、作業者が再動作のための操作を行うなどの煩わしい作業がなくなり、作業性の維持と効率の向上、および良好な画像品質を得ることが可能となる。
【００２５】
請求項１２に記載の発明は、請求項１１記載の画像読取装置において、制御手段は、塵埃検知手段により塵埃有りと検知された場合に、塵埃検知手段による塵埃検知をあらかじめ設定された回数行った後に、再度、塵埃有りと検知された場合に、警告報知用の信号を出力することを特徴とする。
【００２６】
請求項１３に記載の発明は、請求項９記載の画像読取装置において、塵埃検知手段による塵埃検知作動中に、原稿載置部からの原稿給紙を開始させることを特徴とし、作業性の向上を図ることができる。
【００２７】
請求項１４に記載の発明は、原稿搬送手段と原稿読取手段を具備する画像読取部と、該画像読取部にて読み取った画像情報に基づいて記録媒体に対して画像形成を行う画像形成部とを備えた画像形成装置において、前記画像読取部として請求項１〜１３のいずれか１項記載の画像読取装置を搭載したことを特徴とし、この構成によって、適正な塵埃有無検知が行われた後、良好な原稿読取状態の下で画像形成を行うことが可能となる。
【発明の効果】
【００２８】
本発明によれば、読取位置に対する塵埃有無検知を行う構成において、倍率等倍の原稿読取時における原稿搬送手段の線速よりも、塵埃検知時における原稿搬送手段の線速を速くするか、遅くするかの設定を可能にすることにより、仕様あるいは作業状態の違いによる要求に応じて、塵埃検知動作を最短時間で行って、読取動作の中断などをなくし、作業性の低下を防止して高作業性を維持したり、塵埃検知動作を低速で行って、騒音の発生や駆動部品への負荷の増大による早期劣化などを防止したりすることが可能となる。
【発明を実施するための最良の形態】
【００２９】
以下、本発明の実施形態を図面を参照して説明する。
【００３０】
図１，図２は本発明の実施形態を説明するための各装置の正面図であり、図１は原稿読取装置の外観を示す正面図であって、画像読取装置１の本体上部に自動原稿搬送装置（ＡＤＦ）２が搭載されている。また、図２は画像形成装置の外観全体を示す正面図であって、原稿読取装置１の本体下部に、画像形成部本体３と、複数の給紙カセット４からなる給紙装置５が設置されている。
【００３１】
図３は本実施形態の説明するためのＡＤＦ２を搭載した画像読取装置１の概略構成図であり、１１は原稿または原稿束、１２は原稿１１が載置される原稿テーブル、１３はピックアップコロ、１４は給紙ベルト、１５はリバースコロ、１６はプルアウトローラ、１７はターンローラ、１８は読取入口ローラである。また、１９はコンタクトガラス、２０はシートスルー時における画像読取装置１の原稿読取位置、２１はコンタクトガラス１９上に配設された原稿搬送ベルト、２２は搬送ベルト駆動ローラ、２３は搬送ベルト従動ローラ、２４は搬送ベルト加圧ローラである。さらに、２５は読取出口ローラ、２６は排紙ローラ、２７は排紙トレイである。
【００３２】
図３を参照して原稿搬送の動作を説明する。原稿テーブル１２上の原稿１１は、ピックアップコロ１３により給紙され、給紙ベルト１４とリバースコロ１５で一枚ずつ分離されて搬送され、さらに、プルアウトローラ１６，ターンローラ１７および読取入口ローラ１８によって搬送され、コンタクトガラス１９に到達し、搬送ベルト駆動ローラ２２によって駆動される搬送ベルト２１に案内されながらコンタクトガラス１９上を通過する。
【００３３】
このとき、原稿読取位置２０によって原稿の画像が読み取られる。この後、原稿１１は読取出口ローラ２５によって搬送され、排紙ローラ２６によって排紙トレイ２７へ排紙、スタックされる。
【００３４】
画像読取装置１は、第１ミラー３０とランプ３１で構成される第１走行体３２と、第２ミラー３３と第３ミラー３４から構成される第２走行体３５とからなるスキャナ（読取光学系）が設置され、原稿１１の反射光は破線で示す光路を通って図示しないレンズブロックを介してＣＣＤユニットへ入り、光学／電気変換処理により原稿画像の読み取りが行われる。
【００３５】
３６は白基準板であって、ＣＣＤの各素子の出力ばらつきを補正するシェーディング動作の基準のため設けられている。シェーディング動作時は、原稿読取位置２０に位置している第１走行体３２が、矢印（ａ）方向に図示しないスキャナモータの駆動により移動して、白基準板３６に対向する位置で、白基準板３６の白データを読み取ってシェーディングを行う。その後、第１走行体３２が矢印（ｂ）方向に移動し原稿読取位置２０に復帰する。
【００３６】
図４は本実施形態における画像形成部本体の概略構成図であり、本例ではカラープリンタの構成例を示す。
【００３７】
図４において、現像部４１は、複数のドラム状の感光体にて構成された第１〜第４のトナー像担持体４３Ｙ，４３Ｍ，４３Ｃ，４３ＢＫを有し、各トナー像担持体上にイエロートナー像、マゼンタトナー像、シアントナー像およびブラックトナー像の各色のトナー像がそれぞれ形成される。第１〜第４のトナー像担持体４３Ｙ〜４３ＢＫに対向して転写ベルト４４が配置され、この転写ベルト４４は、駆動ローラ４５と従動ローラ４６間に架設されて、矢印Ａ方向に移動駆動される。
【００３８】
第１〜第４のトナー像担持体４３Ｙ〜４３ＢＫ上にトナー像を形成する構成、および動作はそれぞれ実質的に同一であるため、第１のトナー像担持体４３Ｙにトナー像を形成する構成のみ説明する。
【００３９】
トナー像担持体４３Ｙは、図４において時計方向に回転駆動され、帯電ローラ４７によって表面が所定の極性に均一に帯電される。次いで、その帯電面に対して、レーザ書き込みユニット４８から、画像読取装置１で読み取った原稿画像データに基づき光変調されて出射するレーザビームＬが照射され、この照射による露光によりトナー像担持体４３Ｙ上に静電潜像が形成される。この静電潜像が現像装置４９によってイエロートナー像として可視像化される。
【００４０】
一方、図示しない給紙部から、例えば普通紙または樹脂シートあるいは樹脂フィルムなどから成る記録材Ｐが給送され、記録材Ｐが、矢印Ａで示すように、トナー像担持体４３Ｙと転写ベルト４４の間に送り込まれ、転写ベルト４４に担持されて矢印Ｂ方向へ搬送される。転写ベルト４４を挟んで、像担持体４３Ｙに略対向する位置に転写ローラ５０が配置されており、転写ローラ５０に対し、トナー像担持体４３Ｙ上のトナーの帯電極性と逆極性の電圧が印加され、トナー像担持体４３Ｙ上のイエロートナー像が記録材Ｐ上に転写される。記録材Ｐに転写されず、トナー像担持体４３Ｙ上に残された転写残トナーは、クリーニング装置５１によって除去回収される。
【００４１】
同様にして、第２〜第４のトナー像担持体４３Ｍ，４３Ｃ，４３ＢＫ上にマゼンタトナー像、シアントナー像およびブラックトナー像がそれぞれ形成され、これらのトナー像が、前記イエロートナー像の転写された記録材Ｐ上に順次重ねて転写される。
【００４２】
このようにして４色の未定着トナー像を担持した記録材Ｐは、矢印Ｃで示すように定着部４２に送り込まれ、該定着部４２を通過する。このとき、そのトナー像が記録材Ｐ上に定着され、該定着部４２を通過した記録材Ｐは、矢印Ｄ方向に搬送されて排紙トレイ（図示せず）に排出される。
【００４３】
図５（ａ），図６（ａ）は本発明の実施形態１を説明するための自動原稿搬送装置を搭載した画像読取装置における要部の構成図である。
【００４４】
図５（ａ）において、１９はコンタクトガラス、２０は画像読取装置１の原稿読取位置、２１はコンタクトガラス１９上に配設された原稿搬送ベルト、２２は搬送ベルト駆動ローラ、２３は搬送ベルト従動ローラ、２４は搬送ベルト加圧ローラである。
【００４５】
図５（ａ）はコンタクトガラス１９の読取位置にゴミが無い場合を示す。原稿搬送とは別にゴミ有無検知のために搬送ベルト２１が周方向に１回転し、原稿読取位置２０にて原稿搬送ベルト２１の表面を読み取る。
【００４６】
図５（ｂ）は、このとき原稿読取装置１にて読み取った画像データの主走査方向における任意位置のイメージを示す図であって、原稿搬送ベルト２１の白色面を読み取っているため画像データは全面“白”、すなわち、白レベルの画像データとなる。
【００４７】
図６（ａ）はコンタクトガラス１９の読取位置の主走査方向の一部にトナー，塵埃などのゴミＧが存在する場合を示す。前記と同様に原稿搬送とは別にゴミ有無検知のために搬送ベルト２１が周方向に１回転し、原稿読取位置２０にて原稿搬送ベルト２１の表面を読み取る。
【００４８】
図６（ｂ）は、このとき原稿読取装置１にて読み取った画像データの主走査方向における任意位置のイメージを示す図であって、原稿搬送ベルト２１の白色面とゴミＧを読み取ったため画像データ、すなわち“白の面と黒線”となる。
【００４９】
このように、コンタクトガラス１９上の読取位置におけるゴミＧの有無検知を図５（ｂ）と図６（ｂ）の画像データを比較して行う。
【００５０】
なお、本実施形態におけるタイムチャート，フローチャートなどの各種制御は、装置内に搭載された制御手段としてのＣＰＵ（中央演算処理ユニット：図示せず）でのソフトウエアによる処理にてコントロールされる。
【００５１】
図７は実施形態１におけるゴミ有無検知動作のタイムチャートである。ＡＤＦ２と画像読取装置１とはＵＡＲＴなどの公知のシリアル通信などによって信号の授受を行い、ＡＤＦ２は画像読取装置１からの指令により各種動作の開始や停止を行う。本実施形態は、原稿１１を搬送しながら画像データを読み取るシートスルー方式であるため、原稿１１の搬送速度の変化により副走査方向における読取画像の伸縮が変る。
【００５２】
原稿１１と同じ縮率（等倍）で読むための線速（速度）を等倍率時速度とすると、その２倍の速さで原稿１１を搬送し、原稿画像を読み取ると、原稿に対し１／２（５０％）の縮率で画像を読み取ることとなる。画像読取装置１からＡＤＦ２に対し、変倍率５０％の速度で原稿搬送ベルト２１を駆動する指令が出されると、これによりＡＤＦ２は、等倍率時の速度の２倍の速さでＡＤＦ読取モータを駆動し、原稿搬送ベルト２１を回転させる。
【００５３】
同時に、画像読取装置１では、ランプ３１を点灯し、所定時間後にスキャナモータを駆動して第１走行体３２を移動させシェーディング動作を行う。図３に示す（ａ）方向への駆動により、第１走行体３２を白基準板３６方向へ移動し、白基準板３６を読み取った後、（ｂ）方向へ移動して、原稿読取位置２０で停止させる。
【００５４】
その後、搬送ベルト２１が定速になっていることを確認した後、ゴミ有無検知のために原稿搬送ベルト２１に対する画像の読み取りを行う。読取量（時間）は、原稿搬送ベルト２１の１周分を目安としている。このため、仮に、等倍率時の速度で読み取りを行ったときを、図７において破線で示すと、等倍率時速度時の方が、ゴミ有無検知のための読取時間が多くかかることになる。すなわち、図７に示すｔで示す分、余分に時間が必要となる。
【００５５】
ゴミ有無検知は、本来の画像読取動作の前に行われる動作であるため、このゴミ有無検知にかかる時間は、なるべく短くして、作業性の低下を少なくする必要がある。
【００５６】
ここで、公知の技術ではあるが、ゴミ（トナー，塵埃）の検知方法について、その代表例を図８，図９を参照して説明する。
【００５７】
図８はＣＣＤの出力レベル（原稿読取装置１の画像読取データ）を例を示す説明図であって、出力が高い方が白い画像、また低い方が黒い画像の場合、さらにＴＨ１と記したスレッシュレベルを白／黒それぞれに決めて、「ＴＨ１：白」よりも出力レベルが高い場合、その画素を白ゴミのゴミ候補１とする。「ＴＨ１：黒」よりも出力レベルが低い場合は、その画素を黒ゴミのゴミ候補１とする。このＴＨ１は、画像読取装置１の仕様，使用状態ごとに、その設定値を変更する。
【００５８】
また、図８とは異なる検知方法としては、ＴＨ１をある値として、搬送ベルト２１を読み取った画像データで、原稿搬送ベルト２１の地肌濃度の平均を算出して、注目画素において、この地肌濃度の平均値との差分がＴＨ１を超える場合に、ゴミ候補１とする方式もある。そして図９に示すように、主走査１ライン上で、ゴミ候補１の画素がＴＨ２で設定した値（本例ではＴＨ２＝３とする）以上連続した場合、そのラインをゴミ候補ラインとする。
【００５９】
このようにして原稿搬送ベルト２１の１周分全てのラインについて検出を行い、トータルのゴミ候補ラインの数（ｎ）が全ライン（Ｎ）の所定％（Ｍ％）以上あるときに、初めて、読取位置にゴミが存在すると判断する。前記ＴＨ１，ＴＨ２、およびＭ％などのスレッシュ値は、画像読取装置１ごとに設定を変更することを可能にする。これは、原稿搬送ベルト２１を使用しているうちに、経時的に汚れてきた場合に、原稿搬送ベルト２１の汚れをゴミと誤検知しないために変更可能とする。
【００６０】
原稿の読取動作開始前に、ゴミ有無検知のために、原稿搬送ベルト２１を回転させて画像データを読み取り、ゴミ有無の判定を行うが、ゴミ有無検知にかかる時間を短くするためには、原稿搬送ベルト２１の回転数を、通常の等倍率読取時の速度よりも、高速にする必要がある。このゴミ有無検知のために、原稿搬送ベルト２１を回転させる必要性は、装置側の構成によるところであり、作業者には関わりの無いことである。
【００６１】
このため本来の原稿読取作業開始前に、高速で原稿搬送ベルト２１が回転することは、音や振動の発生も気になり、また読み取りに係る各部材の早期劣化が懸念される。これに対応するため、本発明の実施形態２として、原稿搬送ベルト２１の回転数を、通常の等倍率読取時における速度よりも遅く回転させて、低騒音，低振動でゴミ有無検知を行うこととする。
【００６２】
図１０に実施形態２におけるゴミ有無検知に係る動作のタイムチャートを示す。実施形態２では、変倍率２００％の速度、つまり、等倍率時の半分の速度で原稿搬送ベルト２１を回転させる場合を示している。低騒音，低振動および低負荷にすることに効果がある。図１０にて、等倍率時の速度でゴミ有無検知を行った場合を破線で示しているが、ゴミ有無検知にかかる時間は、ｔで図示した分、等倍率速度時よりも時間が必要となる。
【００６３】
図１１は本発明の実施形態３における要部を示す斜視図である。なお、以下の説明において、既に説明されている部材に対応する部材には同一符号を付して詳しい説明は省略する。
【００６４】
図１１において、搬送ベルト駆動ローラ２２、搬送ベルト２１、搬送ベルト従動ローラ２３、搬送ベルト加圧ローラ２４からなる原稿搬送ユニット体を示しており、図中の５５は原稿搬送ベルト２１の表面に設けられた凹部を示す。
【００６５】
図１２（ａ）は実施形態３における原稿搬送ユニット体の正面断面図、図１２（ｂ），（ｃ）は、ゴミ有無検知時、原稿読取装置１により読み取られた画像データを示し、原稿搬送ベルト２１の凹部５５が存在する位置における原稿搬送ベルト２１の１回転分の画像読取データである。
【００６６】
図１２（ｂ）に示すように、原稿搬送ベルト２１の汚れていない白色面を読み取った箇所の画像データは“白”となる。図１２（ｃ）は原稿搬送ベルト２１が凹部５５を含む全周に汚れが有る場合の画像データを示す。この凹部５５は、汚れず白色のままであるので、画像データは“白”となり、原稿搬送ベルト２１の汚れ部を“黒”と判断する。すなわち、原稿搬送ベルト２１の１回転の画像において、凹部５５を読み取るため“黒”のデータは断続的になり、凹部５５においては必ず“白”の画像データが得られる。
【００６７】
図１３（ａ）はゴミＧがある場合の実施形態３における原稿搬送ユニット体の正面断面図、図１３（ｂ）はゴミがある場合の原稿搬送ベルト２１の画像読取データを示す。
【００６８】
図１３（ｂ）に示すように、コンタクトガラス１９上にゴミＧがあれば、原稿搬送ベルト２１の汚れや凹部５５の存在に関係なく、連続して“黒”が現れる。
【００６９】
このように実施形態３によれば、図１２（ｃ）と図１３（ｂ）との比較にて分るように、原稿搬送ベルト２１の表面の汚れと、コンタクトガラス１９上のゴミとを区別することが可能である。
【００７０】
図１４は本発明の実施形態４における原稿搬送ユニット体の斜視図であり、実施形態４が実施形態３と異なる点は、原稿搬送ベルト２１上に、そのスラスト方向（原稿搬送方向に直交する方向）に溝状に凹部５６を延在させた点である。
【００７１】
図１５（ａ）はゴミや汚れのない状態の実施形態４における原稿搬送ユニット体の正面断面図、図１５（ｂ）は原稿搬送ベルト２１の幅方向全面にわたって汚れていない白色面を読み取った箇所の画像データであって、全体が“白”となる。
【００７２】
図１６（ａ）はゴミＧが存在する場合の実施形態４における原稿搬送ユニット体の正面断面図、図１６（ｂ）はゴミＧ，汚れが存在する場合の実施形態４における原稿搬送ベルト２１の画像読取データを示す。図１６（ｂ）に示すように、ゴミＧを検知したため、連続的に“黒”となる部分が現れる。また、ゴミＧが無くて、原稿搬送ベルト２１の表面が汚れている場合は、原稿搬送ベルト２１の凹部５６は汚れずに画像読取データは“白”となるため断続的な“黒”が現れる。
【００７３】
このように実施形態４によれば、原稿搬送ベルト２１の全幅にわたって、すなわち、画像読取面の主走査方向の全幅にわたってゴミ有無検知を行って、原稿搬送ベルト２１の表面の汚れと、コンタクトガラス１９上のゴミとを区別することが可能となる。
【００７４】
図１７（ａ），（ｂ）は本発明の実施形態５における原稿搬送ユニット体の斜視図であって、図１７（ａ）は平面側を示す斜視図、図１７（ｂ）は底面側を示す斜視図であり、実施形態５が実施形態４と異なる点は、原稿搬送ベルト２１上に、そのスラスト方向（原稿搬送方向に直交する方向）に溝状に複数（本例では４本）の凹部５６を延在させた点である。
【００７５】
図１８（ａ）はゴミや汚れのない状態の実施形態５における原稿搬送ユニット体の正面断面図、図１８（ｂ）は原稿搬送ベルト２１の幅方向全面にわたって汚れていない白色面を読み取った箇所の画像データであって、全体が“白”となる。
【００７６】
図１９（ａ）はゴミＧが存在する場合の実施形態５における原稿搬送ユニット体の正面断面図、図１９（ｂ）はゴミＧ，汚れが存在する場合の実施形態５における原稿搬送ベルト２１の画像読取データを示す。図１９（ｂ）に示すように、連続的に“黒”となる部分が現れる。また、ゴミＧが無くて原稿搬送ベルト２１の表面が汚れている場合は、原稿搬送ベルト２１の４箇所の凹部５６は汚れないため、該当する部分は画像データは“白”となるため断続的な“黒”が現れる。
【００７７】
また、凹部５６の中央部など、やや汚れ易い箇所で経時的な汚れが始まり、凹部５６の“白”と読まれるべき面積が縮小しても、凹部５６を複数設けたことによって“白”と読まれるべき箇所（面積）を維持することが可能となり、“白”の画像データが得られる。すなわち、原稿搬送ベルト２１の表面の汚れと、コンタクトガラス１９上のゴミＧとを区別することが可能となる。
【００７８】
図２０は本実施形態における原稿搬送ユニットの駆動部を示す斜視図であり、６１はハウジングであって、搬送ベルト駆動ローラ２２と搬送ベルト加圧ローラ２４をベアリングなどを介して回転自在に軸心固定している。６２は従動ブラケットであって、搬送ベルト従動ローラ２３をベアリングなどを介して回転自在に軸心固定している。また、この従動ブラケット６２はハウジング６１内で搬送ベルト駆動ローラ２２に対して平行移動が可能になっている（図中の矢印方向）。
【００７９】
図２１は組付ジグ６３を示す斜視図であり、６３ａは搬送ベルト駆動ローラ２２のローラ軸を挿入する通孔、６３ｂは搬送ベルト従動ローラ２３のローラ軸を挿入する通孔である。
【００８０】
図２２（ａ），（ｂ）は原稿搬送ユニットの組み付け方法の説明図であり、説明を簡易にするため原稿搬送ベルト２１を省略している。
【００８１】
図２２（ａ）は原稿搬送ユニットの手前側を示し、搬送ベルト駆動ローラ２２のローラ軸と搬送ベルト従動ローラ２３のローラ軸を、ジグ６３の各通孔６３ａと６３ｂにそれぞれ挿入して、搬送ベルト従動ローラ２３の位置を決め、ネジ６４などの締結部材で従動ブラケット６２をハウジング６１に固定する。
【００８２】
図２２（ｂ）は原稿搬送ユニットの後側を示し、図２２（ａ）にて説明したのと同様に、後側もネジ６４などの締結部材で従動ブラケット６２をハウジング６１に固定する。
【００８３】
このように、１つのジグ６３を用いて、従動ブラケット６２の手前側と後側とを規制してハウジング６１に固定するため、搬送ベルト駆動ローラ２２と搬送ベルト従動ローラ２３の平行度を確保することができる。
【００８４】
ゴミ有無検知を、原稿読取の終了後に行う場合、仮に、その時点でゴミ無しとなっても、次の画像読取までに、画像読取位置にゴミが侵入することは充分考えられる。したがって、原稿読取を開始する直前にゴミ検知作業を行うことが最適である。
【００８５】
図２３は原稿搬送ベルト２１の具体的構成例を示す断面図であり、前述したように原稿搬送ベルト２１の汚れと、ゴミを区別するための凹部５６が均等に４箇所設けられている。本例の場合、凹部５６の全周に対する割合は約７％、原稿搬送ベルト２１の１周の長さが１４２ｍｍで６００ｄｐｉの解像度で読み取った場合、総ライン数は３３５５ラインで、凹部５６のトータルは２３６ラインに相当する。本例では、マージンを加えて全ライン数の９６％以上でゴミ候補ラインとなった場合に、読取位置にゴミがあると判断する。
【００８６】
図２４は本実施形態における読取動作に係るタイムチャートであり、図３を参照して読取動作について説明する。
【００８７】
作業者がＡＤＦ２の原稿テーブル１２上に原稿１１をセットすると、ＡＤＦ２は原稿セットセンサ７０から原稿セットフィラー７１が外れて原稿１１がセットされたことを認識し、画像読取装置１のＣＰＵ（図示せず）に対して原稿１１がセットされたことを送信する。
【００８８】
作業者は、画像読取モードの諸設定を行った後、画像読取装置１が具備する読取スタートキー（図示せず）を押下する。これをトリガーとしてＡＤＦ２に原稿搬送ベルト２１の駆動指令が出力され、シェーディング動作後に、３３５５ラインの画像読取が行われゴミ有無判定が行われる。判定後、原稿搬送ベルト２１の駆動が停止され、原稿テーブル１２上の原稿１１を給紙する指令がＡＤＦ２に出力され、通常の読取動作が行われることとなる。
【００８９】
図２５は本実施形態におけるゴミ有無検知に係るフローチャートであり、図３に示す画像読取装置１における第１走行体３２のランプ３１の点灯後（Ｓ１）、シェーディング動作を行わせ（Ｓ２）、原稿搬送ベルト２１を始動させ（Ｓ３）、所定時間、画像読取を行い（Ｓ４）、そのデータでゴミ有無判定を行う（Ｓ５）。判定の結果、ゴミ有りと判定した場合は、画像読取装置１の操作部（図示せず）上で警告表示を行い（Ｓ６）、作業者に知らせる。その後、作業者の判断により、スタートキーが押されるのを待ち（Ｓ７）、スタートキー押下でシーケンス最初に戻る。
【００９０】
ステップ（Ｓ５）において、ゴミ有無判定でゴミ無しの場合は、そのまま、原稿の画像読取動作に移行する（Ｓ８）。すなわち、ゴミ無しの場合は、そのことを、作業者に知らせずに、直ぐに原稿読取に移行するので、作業性の低下が抑えられることとなる。
【００９１】
図２６は本実施形態における原稿読取位置の一例を示す説明図であり、デフォルト通常位置では、図示する位置に第１走行体３２が位置し、図中、（１）で示す位置でＡＤＦ２が搬送する原稿画像を読み取る。ゴミ検知により（２）の位置にゴミがあると判断されたときは、第１走行体３２を図示しないスキャナモータにより矢印（ａ）の方向に移動して（１）から０．７ｍｍ離れた（２）の位置で停止して、ＡＤＦ２が搬送する原稿を読み取る。この（２）の位置でも、ゴミがあると判断されたときは、さらに０．７ｍｍ離れた（３）の位置でＡＤＦ２が搬送する原稿を読み取る。
【００９２】
このように、（１）→（２）→（３）→（１）→（２）の順にゴミがある場合に読取位置を移動して行くが、３箇所ともゴミがある場合、いつまでも、読取位置の移動を行うと画像読取が行われないことになるので、本実施形態では、２回読取位置を移動（３箇所の読取位置でゴミ判定を行う）した場合は、そこで、読取位置の移動を終了として、その場所でＡＤＦ２が搬送する原稿を読み取る。
【００９３】
図２７は前記読取位置移動に係るタイムチャートであり、作業者が図３に示すＡＤＦ２の原稿テーブル１２上に原稿１１をセットすると、ＡＤＦ２は原稿セットセンサ７０から原稿セットフィラー７１が外れて、原稿１１がセットされたことを認識し、画像読取装置１に対して原稿１１がセットされたことを送信する。作業者は、画像読取モードの諸設定を行った後、画像読取装置１が具備する読取スタートキー（図示せず）を押下する。これをトリガーとしてＡＤＦ２に原稿搬送ベルト２１の駆動指令が出され、シェーディング動作後に、３３５５ラインの画像読取が行われゴミ有無判定が行われる。
【００９４】
ゴミ有無判定の結果、ゴミ有りと判断された場合、スキャナモータを（ａ）方向へ駆動して、読取位置を前記（２）の位置へ移動する。原稿搬送ベルト２１は駆動が継続されているので、そのままゴミ有無検知のための画像読取を行い、ゴミ有無判定の結果、再度、ゴミ有りと判断された場合、スキャナモータを（ａ）方向へ駆動して、読取位置を（３）へ移動する。
【００９５】
その後、再度、ゴミ有無検知のための画像読取を行ってゴミ有無判定を行うが、既に読取位置の移動を２回行っており、現読取位置が３箇所目であるため、ゴミ有無判定の結果如何に関わらず、原稿搬送ベルト２１の駆動停止、およびランプ３１の消灯を行い、ゴミ検知作業を終了する。
【００９６】
図２８は前記読取位置移動に係るフローチャートであり、図３に示す画像読取装置１における第１走行体３２のランプ３１の点灯後（Ｓ１１）、シェーディング動作を行わせ（Ｓ１２）、原稿搬送ベルト２１を所定の回転数で駆動（Ｓ１３）し、所定ライン数（時間）の画像読取（Ｓ１４）を行った後、そのデータでゴミ有無判定を行う（Ｓ１５）。判定の結果、ゴミ有りと判定された場合は、それ以前に読取位置の移動を行っており、かつ今回移動する回数が３回目であるときには（Ｓ１６）、読取位置移動を行わずに、画像読取装置１の表示部に警告表示を行い（Ｓ１７）、次に、原稿画像読取（Ｓ１８）に移行する。
【００９７】
ステップ（Ｓ１６）において、読取位置の移動回数が３回以下の場合は、読取位置を移動（Ｓ１９）した後、再度、所定ライン数（時間）の画像読取（Ｓ１４）を行った後、ステップ（Ｓ１５）のゴミ有無判定を行う処理に戻る。ゴミ有無判定の結果、ゴミ無しと判断された場合は、そのまま原稿画像読取（Ｓ１８）に移行する。
【００９８】
なお、原稿画像の読み取りの前にゴミ有無検知を行うと、どうしても、１枚目の原稿読取までの時間がかかり、原稿読取の生産性が低下することは免れない。そこで、少しでも生産性の低下を減少させるため、本実施形態では、ゴミ有無検知中に、ゴミ有無検知作業に支障をきたさない位置まで原稿を搬送待機させておき、ゴミ有無検知作業終了後に、直ぐに原稿の読み取りを開始できるようにしている。
【００９９】
この具体的な実施例を図２９のタイムチャートと図３を参照して説明する。
【０１００】
図３において、ピックアップコロ１３、給紙ベルト１４、プルアウトローラ１６、ターンローラ１７が、給紙モータ（図示せず）で駆動され、読取入口ローラ１８、搬送ベルト駆動ローラ２２、読取出口ローラ２５が、前記給紙モータとは異なる読取モータ（図示せず）で駆動されている。
【０１０１】
ゴミ有無検知は、本例では前記読取モータを駆動して行うため、原稿１１は、読取入口ローラ１８における搬送方向上流側の手前までは搬送待機が可能であり、具体的には、読取入口センサ７２で、原稿先端を検知して前記給紙モータの駆動を停止すれば、その位置において、あらかじめ原稿を待機状態にすることができる。
【０１０２】
図２９において、画像読取装置１から、ゴミ有無検知のために、原稿搬送ベルト２１を所定の速度で駆動させる指令が出力された際に、原稿搬送ベルト２１を駆動すると共に、給紙モータを駆動させ、原稿テーブル１２上の原稿１１の給紙を開始する。ゴミ有無検知作業と平行して、この原稿給紙動作も行われることになる。原稿１１の先端が、読取入口センサ７２に到達したときに、給紙搬送動作を停止して原稿１１の待機動作を終了する。
【０１０３】
ゴミ有無検知が終了した後に、画像読取装置１からＡＤＦ２に原稿読取搬送開始指令が出力され、待機中の原稿搬送を開始する。このように、読取位置近傍まで、あらかじめ原稿１１を待機することにより、原稿読取開始までの時間を低減することができ、ゴミ有無検知作業を追加しても、生産性低下を抑制することができる。
【０１０４】
なお、前記実施形態では、コンタクトガラス１９上に原稿１１を搬送する原稿搬送手段として、搬送ベルト駆動ローラ２２、搬送ベルト２１、搬送ベルト従動ローラ２３、搬送ベルト加圧ローラ２４からなる原稿搬送ユニット体を使用するとして説明したが、原稿搬送ユニット体を原稿搬送用のローラに代えて、このローラ単体にて原稿を搬送するようにしてもよい。
【０１０５】
このように、原稿搬送用のローラを用いても、その表面に凹部５５，５６を形成したり、各種制御などは前記実施形態にて説明したものを適用することができる。
【産業上の利用可能性】
【０１０６】
本発明は、シートスルー方式を使用するＡＤＦ装置を備えた複写機，ファクシミリ装置などの画像形成装置、すなわち、原稿をコンタクトガラス上を搬送させる原稿搬送手段と、コンタクトガラス上を移動する原稿の画像を読み取る原稿読取手段とを備えた画像形成装置に適用され、特にトナー，塵埃などのゴミ有無検知機能を具備する装置に実施して有効である。
【図面の簡単な説明】
【０１０７】
【図１】本発明の実施形態を説明するための原稿読取装置の外観を示す正面図
【図２】本実施形態である画像形成装置の外観全体を示す正面図
【図３】本実施形態の説明するためのＡＤＦを搭載した画像読取装置の概略構成図
【図４】本実施形態における画像形成部の概略構成図
【図５】（ａ）は本発明の実施形態１を説明するための自動原稿搬送装置を搭載した画像読取装置における要部の構成図、（ｂ）は原稿読取装置にて読み取った画像データの主走査方向における任意位置のイメージを示す図（ゴミ無し）
【図６】（ａ）は本発明の実施形態１を説明するための自動原稿搬送装置を搭載した画像読取装置における要部の構成図、（ｂ）は原稿読取装置にて読み取った画像データの主走査方向における任意位置のイメージを示す図（ゴミ有り）
【図７】実施形態１におけるゴミ有無検知動作のタイムチャート
【図８】ＣＣＤの出力レベル（原稿読取装置の画像読取データ）を例を示す説明図
【図９】ＣＣＤの出力レベル（原稿読取装置の画像読取データ）を他の例を示す説明図
【図１０】本発明の実施形態２におけるゴミ有無検知に係る動作のタイムチャート
【図１１】本発明の実施形態３における要部を示す斜視図
【図１２】（ａ）は実施形態３における原稿搬送ユニット体の正面断面図、（ｂ），（ｃ）は、ゴミ有無検知時、原稿読取装置により読み取られた画像データ（ゴミ無し）
【図１３】（ａ）は実施形態３における原稿搬送ユニット体の正面断面図、図１２（ｂ），（ｃ）は、ゴミ有無検知時、原稿読取装置１により読み取られた画像データ（ゴミ有り）
【図１４】本発明の実施形態４における原稿搬送ユニット体の斜視図
【図１５】（ａ）はゴミや汚れのない状態の実施形態４における原稿搬送ユニット体の正面断面図、（ｂ）は原稿搬送ベルト２１の幅方向全面にわたって汚れていない白色面を読み取った箇所の画像データ
【図１６】（ａ）はゴミＧが存在する場合の実施形態４における原稿搬送ユニット体の正面断面図、はゴミＧ，汚れが存在する場合の実施形態４における原稿搬送ベルト２１の画像読取データ
【図１７】（ａ），（ｂ）は本発明の実施形態５における原稿搬送ユニット体の斜視図であって、（ａ）は平面側を示す斜視図、（ｂ）は底面側を示す斜視図
【図１８】（ａ）はゴミや汚れのない状態の実施形態５における原稿搬送ユニット体の正面断面図、（ｂ）は原稿搬送ベルトの幅方向全面にわたって汚れていない白色面を読み取った箇所の画像データ
【図１９】（ａ）はゴミが存在する場合の実施形態５における原稿搬送ユニット体の正面断面図、（ｂ）はゴミ，汚れが存在する場合の実施形態５における原稿搬送ベルトの画像読取データ
【図２０】本実施形態における原稿搬送ユニットの駆動部を示す斜視図
【図２１】本実施形態における組付ジグを示す斜視図
【図２２】（ａ），（ｂ）は原稿搬送ユニットの組み付け方法の説明図
【図２３】本実施形態における原稿搬送ベルトの具体的構成例を示す断面図
【図２４】本実施形態における読取動作に係るタイムチャート
【図２５】本実施形態におけるゴミ有無検知に係るフローチャート
【図２６】本実施形態における原稿読取位置の一例を示す説明図
【図２７】本実施形態における読取位置移動に係るタイムチャート
【図２８】本実施形態における読取位置移動に係るフローチャート
【図２９】本実施形態におけるゴミ有無と原稿読取との関係を示すタイムチャート
【図３０】従来の自動原稿搬送装置の概略構成図
【符号の説明】
【０１０８】
１  画像読取装置
２  自動原稿搬送装置（ＡＤＦ）
３  画像形成部本体
１１  原稿または原稿束
１９  コンタクトガラス
２０  原稿読取位置
２１  原稿搬送ベルト
２２  搬送ベルト駆動ローラ
２３  搬送ベルト従動ローラ
２４  搬送ベルト加圧ローラ
３１  ランプ
３２  第１走行体
３５  第２走行体
５５，５６  凹部
【図１】
0004739919.tif 000002
【図２】
0004739919.tif 000003
【図３】
0004739919.tif 000004
【図４】
0004739919.tif 000005
【図５】
0004739919.tif 000006
【図６】
0004739919.tif 000007
【図７】
0004739919.tif 000008
【図８】
0004739919.tif 000009
【図９】
0004739919.tif 000010
【図１０】
0004739919.tif 000011
【図１１】
0004739919.tif 000012
【図１２】
0004739919.tif 000013
【図１３】
0004739919.tif 000014
【図１４】
0004739919.tif 000015
【図１５】
0004739919.tif 000016
【図１６】
0004739919.tif 000017
【図１７】
0004739919.tif 000018
【図１８】
0004739919.tif 000019
【図１９】
0004739919.tif 000020
【図２０】
0004739919.tif 000021
【図２１】
0004739919.tif 000022
【図２２】
0004739919.tif 000023
【図２３】
0004739919.tif 000024
【図２４】
0004739919.tif 000025
【図２５】
0004739919.tif 000026
【図２６】
0004739919.tif 000027
【図２７】
0004739919.tif 000028
【図２８】
0004739919.tif 000029
【図２９】
0004739919.tif 000030
【図３０】
0004739919.tif 000031